(57)【要約】【課題】スループットの低下を抑えつつ十分な同期性能を実現可能な受信装置を得ること。【解決手段】本発明にかかる受信装置は、互いに異なる複数種類の補正値に基づいて受信信号の周波数およびタイミングの少なくとも一方を補正し、次に、複数種類の補正値と同数の補正後信号を生成し、さらに、補正後信号それぞれをＤＳＴＢＣ差動復号して複数の仮復号結果を生成し、さらに、複数の仮復号結果に基づいて、複数の仮復号結果それぞれと実際に送信された信号系列との差を示す、仮復号結果ごとの評価値を算出する候補評価量計算部１０４と、評価値に基づいて、複数種類の補正値の中の１つを選択する候補選択部１０７と、選択された補正値に基づいて受信信号を補正する補正処理部１０８と、補正された後の受信信号をＤＳＴＢＣ差動復号するＤＳＴＢＣ復号部１０９と、を備える。【選択図】図１
2014120837.tif 000002
【特許請求の範囲】
【請求項１】
互いに異なる複数種類の補正値に基づいて受信信号の周波数およびタイミングの少なくとも一方を補正し、当該複数種類の補正値と同数の補正後信号を生成する仮補正手段と、
前記補正後信号それぞれをＤＳＴＢＣ差動復号して複数の仮復号結果を生成する仮復号手段と、
前記複数の仮復号結果に基づいて、前記複数の仮復号結果それぞれと実際に送信された信号系列との差を示す、仮復号結果ごとの評価値を算出する評価値算出手段と、
前記評価値に基づいて、前記複数種類の補正値の中の１つを選択する選択手段と、
前記選択手段で選択された補正値に基づいて受信信号を補正する補正手段と、
前記補正手段で補正された後の受信信号をＤＳＴＢＣ差動復号する差動復号手段と、
を備えることを特徴とする受信装置。
【請求項２】
前記仮補正手段は、前記評価値算出手段が算出した評価値に基づいて複数種類の補正値を更新するとともに更新後の補正値に基づいて受信信号を補正して補正後信号を生成する処理を所定回数にわたって実行し、
前記仮復号手段および前記評価値算出手段は、前記仮補正手段により補正後信号が生成されるごとに、ＤＳＴＢＣ差動復号および評価値の算出を行い、
前記選択手段は、前記評価値算出手段により所定回数にわたって評価値が算出された後、最後に算出された評価値に基づいて補正値を選択することを特徴とする請求項１に記載の受信装置。
【請求項３】
互いに異なる複数種類の補正値に基づいて受信信号の周波数およびタイミングの少なくとも一方を補正し、当該複数種類の補正値と同数の補正後信号を生成する仮補正手段と、
前記補正後信号それぞれをＤＳＴＢＣ差動復号して複数の仮復号結果を生成する仮復号手段と、
前記複数の仮復号結果に基づいて、前記複数の仮復号結果それぞれと実際に送信された信号系列との差を示す、仮復号結果ごとの評価値を算出する評価値算出手段と、
前記評価値に基づいて、前記複数の仮復号結果の中の１つを最終的なＤＳＴＢＣ差動復号結果として選択する選択手段と、
を備えることを特徴とする受信装置。
【請求項４】
前記評価値算出手段は、
前記複数の仮復号結果それぞれについて、硬判定を行い、得られた硬判定結果と硬判定前の仮復号結果に基づいて前記評価値を算出することを特徴とする請求項１、２または３に記載の受信装置。
【請求項５】
前記評価値算出手段は、
前記複数の仮復号結果それぞれについて、仮復号結果の各信号点の位相を、使用されている変調方式に応じてＮ逓倍し、Ｎ逓倍後の各信号点と当該変調方式に基づいて特定される基準点とに基づいて前記評価値を算出することを特徴とする請求項１、２または３に記載の受信装置。
【請求項６】
前記評価値算出手段は、
前記複数の仮復号結果それぞれについて、仮復号結果の各信号点の分散を算出し、算出した分散を前記評価値とすることを特徴とする請求項１、２または３に記載の受信装置。
【請求項７】
差動符号化された信号の受信装置が実行する復号方法であって、
互いに異なる複数種類の補正値に基づいて受信信号の周波数およびタイミングの少なくとも一方を補正し、当該複数種類の補正値と同数の補正後信号を生成する仮補正手段と、
前記補正後信号それぞれをＤＳＴＢＣ差動復号して複数の仮復号結果を生成する仮復号ステップと、
前記複数の仮復号結果に基づいて、前記複数の仮復号結果それぞれと実際に送信された信号系列との差を示す、仮復号結果ごとの評価値を算出する評価値算出ステップと、
前記評価値に基づいて、前記複数種類の補正値の中の１つを選択する選択ステップと、
前記選択ステップで選択した補正値に基づいて受信信号を補正する補正ステップと、
前記補正ステップで補正した後の受信信号をＤＳＴＢＣ差動復号する差動復号ステップと、
を含むことを特徴とする復号方法。
【請求項８】
差動符号化された信号の受信装置が実行する復号方法であって、
互いに異なる複数種類の補正値に基づいて受信信号の周波数およびタイミングの少なくとも一方を補正し、当該複数種類の補正値と同数の補正後信号を生成する仮補正ステップと、
前記補正後信号それぞれをＤＳＴＢＣ差動復号して複数の仮復号結果を生成する仮復号ステップと、
前記複数の仮復号結果に基づいて、前記複数の仮復号結果それぞれと実際に送信された信号系列との差を示す、仮復号結果ごとの評価値を算出する評価値算出ステップと、
前記評価値に基づいて、前記複数の仮復号結果の中の１つを最終的なＤＳＴＢＣ差動復号結果として選択する選択ステップと、
を含むことを特徴とする復号方法。
【発明の詳細な説明】
【技術分野】
【０００１】
本発明は、ＤＳＴＢＣ（Differential  Space-Time  Block  Coding）を適用した無線通信システムの受信装置および復号方法に関する。
【背景技術】
【０００２】
無線信号伝送に際してフェージングなどの影響を抑えるための技術として、ダイバーシチ技術が使用されている。例えば、複数の送信アンテナを用いて特定の規則で信号を送出することによりダイバーシチ効果を得ることが可能なＳＴＢＣ（Space-Time  Block  Coding）は、受信側の処理が簡易であるなどの理由から、さまざまなシステムに利用されている。
【０００３】
ＳＴＢＣを適用したシステムでは受信側において伝搬路推定が必要であるが、受信側での伝送路推定を不要としつつダイバーシチ効果を得ることが可能な方式として、差動符号化をＳＴＢＣのブロック単位で行うことで伝送路推定を不要にするＤＳＴＢＣが非特許文献１に開示されている。たとえば、２アンテナ送信によるＤＳＴＢＣでは、２シンボルを１つのブロックとして構成し、２つのブロックのデータを用いて差動符号化を行い、受信側では２つのブロックの受信データを差動復号化することでデータを復調する。非特許文献１に記載の通り、受信側では２つのブロックの受信信号の相関、つまり４シンボル分の受信結果から復調データを生成する必要がある。
【０００４】
また、ＤＳＴＢＣの受信に際して、ＢＴＲ（Bit  Timing  Recovery）やＡＦＣ（Automatic  Frequency  Correction）といったシンボルタイミングと周波数の推定技術が必要であり、たとえばユニークワードなどの固定パターンを送信する区間を付加して、相関演算などによりタイミングや周波数を推定する手法が適用できると考えられる。これに加えて、ＤＳＴＢＣを構成するブロックの同期が必要である。ブロックが検出できない場合、正常にデータを復調することができない。
【先行技術文献】
【非特許文献】
【０００５】
【非特許文献１】V.Tarokh,  H.Jafarkhani,  ”A  Differential  Detection  Scheme  for  Transmit  Diversity”,  IEEE  Journal  on  Selected  Areas  in  Communications,  Vol.18,  pp1169-1174,  July  2000.
【発明の概要】
【発明が解決しようとする課題】
【０００６】
ＤＳＴＢＣの受信において、ユニークワードなどの固定パターンを使用する同期方式は、推定精度を確保するために十分な系列長が必要である。しかし、系列長を長くした場合、データ伝送部分の実効的なスループットは低下してしまう。
【０００７】
本発明は、上記に鑑みてなされたものであって、スループットの低下を抑えつつ十分な同期性能を実現可能な受信装置および復号方法を得ることを目的とする。
【課題を解決するための手段】
【０００８】
上述した課題を解決し、目的を達成するために、本発明は、互いに異なる複数種類の補正値に基づいて受信信号の周波数およびタイミングの少なくとも一方を補正し、当該複数種類の補正値と同数の補正後信号を生成する仮補正手段と、前記補正後信号それぞれをＤＳＴＢＣ差動復号して複数の仮復号結果を生成する仮復号手段と、前記複数の仮復号結果に基づいて、前記複数の仮復号結果それぞれと実際に送信された信号系列との差を示す、仮復号結果ごとの評価値を算出する評価値算出手段と、前記評価値に基づいて、前記複数種類の補正値の中の１つを選択する選択手段と、前記選択手段で選択された補正値に基づいて受信信号を補正する補正手段と、前記補正手段で補正された後の受信信号をＤＳＴＢＣ差動復号する差動復号手段と、を備えることを特徴とする。
【発明の効果】
【０００９】
本発明によれば、既知でないＤＳＴＢＣ差動符号化信号を使用して周波数オフセットやブロックタイミング等を高精度に推定することができ、送受する既知系列を短くすることによるスループット改善効果や、同期確立までの所要時間の短縮化を実現できる、という効果を奏する。
【図面の簡単な説明】
【００１０】
【図１】図１は、実施の形態１の受信装置の構成例を示す図である。
【図２】図２は、候補評価部の構成例を示す図である。
【図３】図３は、実施の形態２の受信装置の構成例を示す図である。
【発明を実施するための形態】
【００１１】
以下に、本発明にかかる受信装置および復号方法の実施の形態を図面に基づいて詳細に説明する。なお、この実施の形態によりこの発明が限定されるものではない。
【００１２】
実施の形態１．
図１は、本発明にかかる受信装置の実施の形態１の要部構成例を示す図である。図示したように、本実施の形態の受信装置は、主要な構成要素として、Ａ／Ｄ変換部（Ａ／Ｄ部）１０１、ＩＦ部１０２、タイミング抽出部１０３、候補評価量計算部１０４、候補選択部１０７、補正処理部１０８およびＤＳＴＢＣ復号部１０９を備えている。候補評価量計算部１０４は、複数の候補評価部１０５および補正量設定部１０６を含んで構成されている。
【００１３】
本実施の形態にかかる受信装置による信号受信動作について、特徴的な処理を中心に説明する。
【００１４】
受信信号は、図示を省略しているアンテナからアナログ回路を介してＡ／Ｄ変換部１０１に入力され、Ａ／Ｄ変換部１０１でディジタル信号に変換された後、ＩＦ部１０２でベースバンド信号に変換される。ここで、ＩＦ部１０２は、ベースバンド信号を生成するために必要な機能を総称したものであり、一般的には帯域制限フィルタ、ダウンコンバート処理などが含まるが、特に構成を限定するものではない。ベースバンド信号は、数倍のオーバーサンプルレートでサンプリングされたデータ列である。データを正確に復調するためには、シンボルタイミングの抽出、周波数オフセットの補正が必要であり、ＤＳＴＢＣを適用する場合、複数のシンボルからなるブロックを検出し同期する必要がある。ブロックは、２アンテナのＤＳＴＢＣであれば、一般的に２シンボルで構成されている。差動復号化は、２シンボルを一つのかたまりとして行う必要があるため、仮に１シンボルずれた状態で差動復号化処理を行うと、正しいデータを復元することができない。
【００１５】
本実施の形態にかかる受信装置では、オーバーサンプルされたデータはタイミング抽出部１０３に入力され、タイミング抽出部１０３はシンボルタイミングを推定し、シンボルレートのデータ列に変換する。一般的に、ＤＳＴＢＣを使用していても、ＤＱＰＳＫ伝送などと同様な逓倍タンク方式等をタイミング抽出のために適用することができる。タイミング抽出部１０３の出力はシンボル同期が完了した状態のデータ列であり、ブロックタイミングと周波数オフセットの推定をすることで復調が可能な状態となっている。
【００１６】
タイミング抽出部１０３からの出力信号は候補評価量計算部１０４を構成している複数の候補評価部１０５のそれぞれに入力されるとともに、補正処理部１０８にも入力される。
【００１７】
ここで、ＤＳＴＢＣでは、周波数オフセットが正しく補正されていない状態、もしくはブロックタイミングを誤っている状態でＤＳＴＢＣ差動復号を行うと、差動復号後のコンステレーションが、本来の送信波形と比較して大きく分散してしまうという性質がある。そのため、本実施の形態にかかる受信装置の候補評価量計算部１０４では、周波数オフセットの候補値をいくつか作成し、作成した各候補を使用してＤＳＴＢＣ復号処理を試行する。そして、この結果得られた複数の復号結果（候補）の中から、ばらつき具合や、硬判定結果からの評価量をもとに、最も分散度合いの小さい結果が得られた候補をもっともらしい周波数オフセットとして候補選択部１０７が選択する。候補評価量計算部１０４においては、補正量設定部１０６が周波数オフセットの候補値（複数種類の候補値）を作成し、複数の候補評価部１０５がそれぞれ異なる周波数オフセットを使用してＤＳＴＢＣ復号処理を試行する。なお、周波数オフセットの候補値に加えて、ブロックタイミングの候補値（２アンテナのＤＳＴＢＣ構成で、入力信号が１倍オーバーサンプルのシンボルレートであれば、２択である）も同時に候補として使用してもよい。
【００１８】
候補評価部１０５の詳細について説明する。図２は、候補評価部１０５の構成例を示す図であり、候補評価部１０５は、周波数シフト部２０１、時間シフト部２０２、ＤＳＴＢＣ差動復号化部２０３、基準値生成部２０４、評価量計算部２０５および平均化部２０６を備えている。周波数シフト部２０１にはタイミング抽出部１０３の出力である受信信号および補正量設定部１０６の出力である補正量設定情報（補正値）が入力される。補正量設定情報は時間シフト部２０２にも入力される。なお、複数存在する候補評価部１０５の構成は同一であるが、補正量設定部１０６から候補評価部１０５のそれぞれに与えられる補正量設定情報は候補評価部１０５ごとに異なる。また、各候補評価部１０５において、周波数シフト部２０１および時間シフト部２０２は仮補正手段を構成し、ＤＳＴＢＣ差動復号化部２０３は仮復号手段を構成し、基準値生成部１０４、評価値計算部２０５および平均化部２０６は評価値算出手段を構成する。
【００１９】
周波数シフト部２０１は、補正量設定部１０６から受け取った設定値（補正量設定情報が示す周波数オフセット）に従い、周波数シフトもしくはそれと等価となる位相回転系列の乗算処理を行うことにより受信信号の周波数を補正する。時間シフト部２０２は、補正量設定部１０６から受け取った設定値（補正量設定情報が示す時間オフセット）に従い、周波数シフト部２０１で周波数が補正された後の受信信号に対して、たとえばシフトレジスタ等による信号の遅延付加などの時間シフト処理を行う（タイミングを補正する）。これは、後段のブロックに供給する２シンボル（２シンボルが１ブロックを構成するＤＳＴＢＣの場合）の組を設定するための処理である。後段のＤＳＴＢＣ差動復号化部２０３が２シンボルを並列に受け取るような構成であれば、時間シフト処理では、１シンボルのシリアルデータを２シンボルのパラレルデータにＳ／Ｐ変換するブロックとして構成することができ、Ｓ／Ｐのデータ順の割り当てによって制御するような形態としてもよい。なお、周波数シフト部２０１、時間シフト部２０２の処理順は図２の順番に限定されるものではなく、処理の順番を入れ替えてもよい。また、周波数と時刻のうち一方が別の手段を用いて既知である場合には、周波数シフト部と時間シフト部のいずれか（既知である側）を削除できる。
【００２０】
ＤＳＴＢＣ差動復号化部２０３は、周波数およびタイミングが補正された後の受信信号である時間シフト部２０２の出力信号に対してＤＳＴＢＣの差動復号化処理を行う。ＤＳＴＢＣ差動復号化部２０３の出力（差動復号化結果）は、基準値生成部２０４および評価量計算部２０５に入力される。基準値生成部２０４は、入力信号に基づいて、差動復号化結果の評価で使用する何らかの基準値となる信号を生成する。基準値としては、たとえば、入力値の硬判定結果から生成されるレプリカが考えられる。評価量計算部２０５は、ＤＳＴＢＣ差動復号化部２０３による差動復号化結果と、基準値生成部２０４の出力を受け取り、評価量を計算する。たとえば、基準値生成部２０４が硬判定結果のレプリカを基準値として生成する場合、評価量としては、差動復号化結果とレプリカとの間の位相差、位相差の絶対値、振幅差の絶対値、ユークリッド距離、ユークリッド距離の２乗などによって定義される誤差量とする。評価量は、差動復号の処理毎に更新されるため、平均化部２０６を設けている。平均化部２０６は、評価量を平均化し、評価量のＳＮＲの向上や、瞬時的な値の変動をならすような処理を行う。具体的には、移動平均処理、ＩＩＲ平均処理、ＦＩＲフィルタリング処理、一定時間区間毎の蓄積平均結果の計算などによって平均化する。なお、十分なＳＮＲが担保されている場合などは、平均化処理を省略し、平均化部２０６は入力をそのまま出力する構成としてもよい。候補評価部１０５は、以上のようにして評価量（誤差量）を算出し、後段の候補選択部１０７に評価結果を出力する。
【００２１】
なお、図１および図２における入力信号は１ブランチを前提に記載しているが、複数ブランチによる受信ダイバーシチが行われる場合も、同様に適用することができる。たとえば、ＤＳＴＢＣ差動復号化部２０３の出力信号をブランチ間で足し合わせて合成し、その後、基準値生成および評価量計算処理を行う構成とすればよい。
【００２２】
各候補評価部１０５における評価量計算結果である誤差量は候補選択部１０７へ出力され、候補選択部１０７は、各候補評価部１０５から受け取った評価量計算結果に基づいて最終的な周波数オフセット量やタイミングを決定し、決定結果を補正量として補正処理部１０８に設定する。候補選択部１０７では、たとえば、評価量が上記例における誤差量であれば、誤差の最も小さい候補を選択し、これに対応する補正量（出力された誤差量が最小の候補評価部１０５で使用された周波数オフセット量およびタイミング）を補正処理部１０８に設定する。候補の選択の更新間隔に関して、一定区間において各候補に対応する誤差量を蓄積して、その誤差量の小さいある一つの候補を選び、一定の時間間隔ごとに更新していく方法や、毎ブロック入力のたびに新たな候補を選択する方法を用いるようにしてもよい。前者のような更新間隔では、たとえばフレーム毎に蓄積した結果を評価してある一つの候補を選び、それを１フレームの間使い続けるといった処理を行うことができ、雑音の影響を平均化処理によって抑圧することができる。本発明を周波数オフセット推定に使用するとき、候補の選択が、設計した更新間隔に従って逐次行われる場合は、各時刻によって刻々と選ばれた候補が変化していくことが考えられる。また、周波数オフセットの推定に関して、理想的な周波数推定値が、設定した候補同士の中央あたりにある場合にも対応できるようにするため、下記の２つの方法のいずれかまたは組み合わせを適用してもよい。第１の方法として、候補選択部１０７は、誤差の小さい周波数候補を順番に複数個選び、その周波数オフセット量の平均化処理などを介して、最終的な周波数オフセット補正量を生成するように構成してもよい。第２の方法として、候補選択部１０７は、各時刻の選択結果をそのまま出力する代わりに、一定期間の選択結果を記録していくことで、各周波数候補毎に選ばれた回数に基づいた期待値算出処理（たとえば、周波数候補に対応する周波数量を、選択回数に従い重み付け加算する）によって、最終的な周波数オフセット補正量を決定するように構成してもよい。
【００２３】
以上のようにして候補（補正量）が選択された後、補正処理部１０８は、候補選択部１０７により設定された補正量を使用して周波数およびタイミングを補正し、補正後の受信信号に対してＤＳＴＢＣ復号化部１０９がＤＳＴＢＣ復号化処理を実施することにより、復調結果が得られる。復調結果は、硬判定もしくは軟判定後誤り訂正復号器に入力するなど、一般的に知られた方法によって処理され、最終的な判定ビット系列が得られる。
【００２４】
以上のように、本実施の形態の受信装置は、周波数候補やブロックタイミングの一方または双方が未知の状態の信号に対して、複数の周波数候補またはブロックタイミング候補、もしくはその組み合わせの候補を生成し、それぞれで試行したＤＳＴＢＣ差動復号化結果をもとに評価量を計算し、候補ごとの評価量から周波数オフセットやブロックタイミングの推定を行い、推定結果に基づいて信号を復調することとした。これにより、既知でないＤＳＴＢＣ差動符号化信号を使用して周波数オフセットやブロックタイミング等を高精度に推定可能な受信装置を構成することができ、送受する既知系列を短くすることによるスループット改善効果や、同期確立までの所要時間の短縮化が可能になる。
【００２５】
なお、図１に示した受信装置では、タイミング抽出部１０３でシンボル同期までを実施することとしたが、この処理を行わずオーバーサンプルされたデータをそのまま候補評価量計算部１０４に与え、シンボルタイミングもこの構成で推定するような構成としてもよい。この場合、時間シフト部２０２でシフトする値の候補量が増加し、結果として評価量計算の候補数が増大するが、タイミング抽出部１０３の処理を省略することができる。また、逆にシンボルタイミング、ブロックタイミングなどタイミングに関する値が既知の場合、タイミング値に関する候補を候補評価量計算部１０４では同一値として評価量を絞り込んで、計算量を削減してもよい。これは周波数オフセットに関しても既知であれば同様にすることができ、周波数、時間のいずれかに対して候補選択をするようにしてもよい。
【００２６】
たとえば、フレームが連続的に送受されるようなシステムでは、最初の数フレームを使用して、時間・周波数を推定し、同期のための同期ワードなどを検出後、引き込み範囲を狭めながらも変動に追随するために、時間・周波数のいずれかのみを固定したり、候補の生成範囲を狭めたりし、引き込み完了後の計算量を絞り込むようにする。
【００２７】
実施の形態２．
実施の形態１の受信装置を構成している候補評価量計算部１０４、候補選択部１０７および補正処理部１０８による処理を２段階で行うように、すなわち、図３に示したように、候補選択処理を２段構成としてもよい。
【００２８】
図３に示した構成とした場合、たとえば、１次候補評価量計算部１１０においては時間の推定を行うこととし、１次候補評価量計算部１１０の補正量設定部１０６がある固定の周波数オフセット量と、いくつかの時間候補値を候補評価部１０５に設定し、各候補評価部１０５が算出した誤差量に基づいて１次候補選択部１１１がタイミングを絞り込み、１次補正処理部１１２ではタイミング情報のみの補正を行う。次に、２次候補評価量計算部１１３においては周波数の推定を行うこととし、２次候補評価量計算部１１３の補正量設定部１０６がいくつかの周波数オフセットの候補を候補評価部１０５に設定し、各候補評価部１０５が算出した誤差量に基づいて２次候補選択部１１４で周波数の推定を行う。そして、２次補正処理部１１５で周波数補正処理を行い、タイミングおよび周波数が補正された後の信号をＤＳＴＢＣ復号部１０９に与える。
【００２９】
また、図３に示した受信装置では、１段目を粗い推定に用い、２段目を細かい推定に用いるような構成としてもよい。すなわち、周波数オフセット推定のために２段階の推定を実施する例においては、１次候補評価量計算部１１０では、粗い間隔で複数の周波数オフセット候補を生成し、最も評価量が適切な候補を１次候補選択部１１１で選び、２次候補評価量計算部１１３では、１段目の推定結果を中心として、より細かい精度で周辺の周波数オフセット候補を生成して、評価を行い、２次候補選択部１１４で精度の高い推定結果を得るような構成としてもよい。
【００３０】
以上の実施の形態１，２では、候補選択部１０７（実施の形態１）もしくは２次候補選択部１１４（実施の形態２）が推定結果を生成して補正処理を行った後にＤＳＴＢＣ差動復号を行うような構成としている。しかしながら、実際には、候補評価部１０５（図２参照）のＤＳＴＢＣ差動復号化部２０３で一度復調系列が生成されているため、ＤＳＴＢＣ差動復号化処理２０３の出力である復調系列を候補選択部１０７もしくは２次候補選択部１１４にもそれぞれ入力し、複数の復調系列から一つを、評価量に応じて選び出すような構成とし、補正処理部１０８や２次補正処理部１１５、ＤＳＴＢＣ復号部１０９などを省略する構成としてもよい。また、候補評価量計算部１０４，１次候補評価量計算部１１０，２次候補評価量計算部１１３において、候補評価部１０５を並列に並べて各候補の補正量ごとに処理する記載としているが、候補の数に対してより少ない数の候補評価部により、時分割処理で全候補の評価量を求めるような構成としてもよい。
【００３１】
なお、図３に示した受信装置では候補選択のためのブロックを２つ（１次候補評価量計算部１１０と１次候補選択部１１１のブロック、２次候補評価量計算部１１３と２次候補選択部１１４のブロック）備える構成としたが、図１に示した受信装置の構成において、候補評価量計算部１０４および候補選択部１０７が２段階で候補選択を行うようにしてもよい。すなわち、まず、１段階目の候補選択では、補正量設定部１０６が粗い候補選択を行うための候補値設定を各候補評価部１０５に対して行い、候補選択部１０７は、１段階目の候補選択を終了すると選択結果を候補量設定部１０６に通知する。そして、候補量設定部１０６は、１段階目の候補選択結果に基づいて、細かい候補選択を行うための候補値設定を各候補評価部１０５に対して行い、候補選択部１０７が２段階目の候補選択を行うようにしてもよい。３段階以上に分けて候補選択を行うようにしても構わない。複数段階に分けて候補選択を行う場合、候補評価部１０５の数を削減することができ、装置規模が大きくなるのを抑えることができる。
【００３２】
実施の形態３．
実施の形態１および２では、各候補評価部１０５における評価量として、ＤＳＴＢＣ差動復号結果の硬判定結果から生成したレプリカと、ＤＳＴＢＣ差動復号結果との間の誤差を計算することとしたが、本実施の形態では、実施の形態１，２とは異なる計算方法について説明する。
【００３３】
（その他の評価量計算方法１）
評価量計算方法として、変調方式における位相の対称性を使用することで、動的に基準値を生成せず、ある固定値から誤差量を求めることができる。たとえば、ＱＰＳＫ変調方式を用いる場合、９０度毎に信号がマッピングされるので、位相を４逓倍することで、全マッピング点が１点に収束する。そのため、この収束点を基準とし、ＤＳＴＢＣ差動復号化結果の位相４逓倍を行った信号との差を求め、これを誤差として評価量に採用することで、判定処理や動的な基準値の生成をせずに評価量を算出することが可能になる。
【００３４】
（その他の評価量計算方法２）
また、評価量計算方法として、基準値を使用せずに差動復号化結果の系列からの統計量を評価量としてもよい。たとえば、ブロックタイミングの検出に本発明を使用する例において、ＱＰＳＫ変調方式を使用する場合を考えると、上記の説明の通り、差動復号結果を位相４逓倍したものは、原点以外のある点に収束する。このため、これを累積すると、収束点と同じ位相で、振幅が重なり合い大きい値となることが期待できる。しかし、ブロックタイミングがずれている場合は、ＤＳＴＢＣ差動復号化結果はＱＰＳＫの点に乗らず、いくつかの位相に分布するため、位相を４逓倍したものを累積すると振幅が打ち消し合い、原点近くに累積値が移ってしまう。そのため、差動復号化結果を位相４逓倍して平均化したものを評価量とすれば、２つの候補について評価量が分離するため、絶対値の大きい方を採用することでブロックタイミングを検出することができる。本方式は基準値を使用しないと述べたが、上記の「その他の評価量計算方法１」において基準値を０とみなし、位相を逓倍した差動復号後の信号との差分を評価量として用いていることと等価であると捉えることもできる。
【００３５】
（その他の評価量計算方法３）
また、他の計算方法として、分散などの統計量を使用して評価量としてもよい。ブロックタイミングの推定に本発明を使う場合、上記の通り、正しいブロックタイミングでは、たとえばＱＰＳＫではＤＳＴＢＣ差動復号化結果は４つの点に分布する一方、誤ったタイミングではより多数の点に分布する。そのため、分散を用いて、分散のより低い候補を選び出すことで、ブロックタイミングの検出を行うことができる。たとえば、差動符号化結果の各点を値の近いもの同士に分類してグループ化し、グループごとに分散を求める。本方法によって、変調多値数が未知の状態でも、一定の点数に変調点が偏って分布するため、ブロックタイミングを一定の精度で検出することができる。
【産業上の利用可能性】
【００３６】
以上のように、本発明にかかる受信装置は、ＤＳＴＢＣを適用した無線通信システムの受信装置に適している。
【符号の説明】
【００３７】
１０１  Ａ／Ｄ変換部、１０２  ＩＦ部、１０３  タイミング抽出部、１０４  候補評価量計算部、１０５  候補評価部、１０６  補正量設定部、１０７  候補選択部、１０８  補正処理部、１０９  ＤＳＴＢＣ復号部、１１０  １次候補評価量計算部、１１１  １次候補選択部、１１２  １次補正処理部、１１３  ２次候補評価量計算部、１１４  ２次候補選択部、１１５  ２次補正処理部、２０１  周波数シフト部、２０２  時間シフト部、２０３  ＤＳＴＢＣ差動復号化部、２０４  基準値生成部、２０５  評価量計算部、２０６  平均化部。
【図１】
2014120837.tif 000003
【図２】
2014120837.tif 000004
【図３】
2014120837.tif 000005